(57)【要約】      （修正有）【課題】使用環境の変化に対応して安定した燃焼状態が維持できる暖房機の燃焼制御装置を提供する。【解決手段】バーナ２の運転と燃焼量を制御する燃焼制御手段１２は複数の燃焼量調節段階を備え、室内温度検出手段９と温度設定手段１０の信号に基づいて燃焼量調節段階を決定すると、燃料ポンプ３の流量と燃焼ファン４の回転数を可変する。燃焼ガス中のＣＯ２濃度を検出するＣＯ２センサ１３と、記憶手段１４に設定された複数の基準ＣＯ２濃度データから燃焼量調節段階に対応する基準ＣＯ２濃度を選択する選択手段１５と、検出されたＣＯ２濃度と選択された基準ＣＯ２濃度を比較する比較手段１６を設け、ＣＯ２濃度が基準ＣＯ２濃度の範囲を外れているときに燃焼ファン４の回転数を１段階高くもしくは低く変更し、ＣＯ２濃度が基準ＣＯ２濃度に入るまで燃焼ファン４の回転数を変更し、ＣＯ２濃度が基準ＣＯ２濃度になったときの回転数を維持する。【選択図】図２
2011047605.tif 000002
【特許請求の範囲】
【請求項１】
枠体（１）内にバーナ（２）と、このバーナ（２）に燃料を供給する燃料ポンプ（３）と、このバーナ（２）に燃焼空気を送る燃焼ファン（４）とを設け、
該枠体（１）の前後を貫通する送風経路（５）には、入口側に対流用送風機（６）、出口側に温風吹出口（７）を設け、前記バーナ（２）の上部に設けた燃焼室（８）は送風経路（５）内に配置し、前記対流用送風機（６）によって送風経路（５）に吹き込まれた室内空気はバーナ（２）や燃焼室（８）と熱交換して高温となって温風吹出口（７）から室内に吹出すと共に、
室内温度を検出する室内温度検出手段（９）と、室内温度を設定する温度設定手段（１０）と、運転スイッチ（１１）の信号に基づいて前記燃料ポンプ（３）と燃焼ファン（４）とを制御してバーナ（２）の運転の制御と燃焼量の調節を行う燃焼制御手段（１２）とを設け、
前記燃焼制御手段（１２）は複数の燃焼量調節段階を備えて、各燃焼量調節段階に対応して前記燃料ポンプ（３）の流量と前記燃焼ファン（４）の回転数を可変する温風暖房機において、
前記燃焼室（８）の排気経路中に燃焼室（８）から排出される燃焼ガス中のＣＯ２濃度を検出するＣＯ２センサ（１３）を設けると共に、前記燃焼制御手段（１２）は各燃焼量調節段階毎に設定される複数の基準ＣＯ２濃度データを備えた記憶手段（１４）と、前記燃焼量調節段階に対応する基準ＣＯ２濃度データを選択する選択手段（１５）と、前記ＣＯ２センサ（１３）で検出されたＣＯ２濃度データと前記選択手段（１５）で選択された基準ＣＯ２データとを比較する比較手段（１６）とを設け、
前記燃焼制御手段（１２）は、前記ＣＯ２センサ（１３）のＣＯ２濃度が基準ＣＯ２濃度の範囲から外れているときに前記燃焼ファン（４）の回転数を１段階高くもしくは低く変更し、
ＣＯ２センサ（１３）のＣＯ２濃度が基準ＣＯ２濃度の範囲内に入るまで燃焼ファン（４）の回転数を変更し、ＣＯ２センサ（１３）のＣＯ２濃度が基準ＣＯ２濃度の範囲内になったときの回転数を維持することを特徴とする温風暖房機の制御装置。
【請求項２】
前記燃焼制御手段（１２）は前記ＣＯ２センサ（１３）のＣＯ２濃度が基準ＣＯ２濃度の範囲内になったときの回転数を記憶する回転数記憶手段（１７）を設け、
次回の運転時は各燃焼量焼調節段階に対応して記憶された回転数記憶手段（１７）の回転数で燃焼ファン（４）を運転することを特徴とする請求項１記載の温風暖房機の制御装置。
【発明の詳細な説明】
【技術分野】
【０００１】
この発明は燃焼ガス中のＣＯ２濃度を検出して燃焼の制御を行う温風暖房機の制御装置に関するものである。
【背景技術】
【０００２】
暖房機には熱源であるバーナと、バーナへ燃料を供給する燃料ポンプと、バーナへ燃焼空気を供給する燃焼ファンを設け、燃料ポンプから供給された燃料と燃焼ファンからの燃焼空気をバーナ内で混合、気化、燃焼させることにより暖房に必要な熱量を発生させている。また、暖房機の枠体には暖房機の運転を制御する燃焼制御手段と、暖房機が設置された室内の温度を検出する室内温度検出手段と、使用者が所望する室温に設定する温度設定手段とを備え、燃焼制御手段は室内温度検出手段で検出された温度と温度設定手段で設定された設定温度とを比較し、室内温度が設定温度より低い場合は燃料ポンプの流量と燃焼ファンの回転数を上昇させ、逆に、室内温度が設定温度より高い場合は燃料ポンプの流量と燃焼ファンの回転数を低下させることで燃焼量を変化させて、室内温度が設定温度に近づくように制御している。
【０００３】
燃焼制御手段は燃焼量毎に最適な燃料ポンプの流量と燃焼ファンの回転数が設定されていて、最適な燃焼バランスで燃焼するようになっているが、暖房機を標高の高い高地で使用する場合には空気中の酸素濃度が低下し、また、給排気式の暖房機の場合には延長配管などによってバーナへ供給される空気量が低下すると、酸素不足となって不完全燃焼を起こしてＣＯを発生させる可能性がある。
【０００４】
このため、従来では給気経路の途中にダンパーを設けて、暖房機を設置する標高に対応してダンパーの開度を変更することでバーナに供給する燃焼空気量を調節するものがある。また、標高を複数段階に設定する標高設定スイッチを備え、暖房機を設置する標高に対応して標高設定スイッチで標高を設定すると、燃焼ファンの回転数が設定された回転数に切り換わることで燃焼空気量を調節するものがある。また、給排気式の暖房機では延長配管による配管の長さや曲げ数の追加に対応して設定スイッチによって燃焼ファンの回転数を切り換えることで焼空気量を調節するものがある（特許文献１、特許文献２参照）。
【特許文献１】特開平３−２３３３１６  公報
【特許文献２】特開昭６３−２４７５３０  公報
【発明の開示】
【発明が解決しようとする課題】
【０００５】
上記従来の方法は、暖房機を設置する標高や配管条件に対応して最適な燃焼空気量となるようにダンパーの位置や燃焼ファンの回転数が設定されているが、同じ標高でも気温の変化や配管抵抗などの複数の条件が重なったときには燃焼空気量にばらつきが生じることがあり、選択されたダンパーの位置や燃焼ファンの回転数のままでは期待した空気量が確保できず、燃焼バランスが崩れて不安定な燃焼状態になることがある。
このような場合は燃焼状態を確認しながらダンパーの位置や燃焼ファンの回転数の設定を変更するなどの調節が必要となるが、気温や配管抵抗の変化を考慮しながら最適な燃焼空気量を見つけ出すことは難しく、不安定な燃焼状態のまま使用されていることが多く、使用条件による変化への対応が課題となっている。
【課題を解決するための手段】
【０００６】
この発明は上記の課題を解決するもので、枠体１内にバーナ２と、このバーナ２に燃料を供給する燃料ポンプ３と、このバーナ２に燃焼空気を送る燃焼ファン４とを設け、該枠体１の前後を貫通する送風経路５には、入口側に対流用送風機６、出口側に温風吹出口７を設け、前記バーナ２の上部に設けた燃焼室８は送風経路５内に配置し、前記対流用送風機６によって送風経路５に吹き込まれた室内空気はバーナ２や燃焼室８と熱交換して高温となって温風吹出口７から室内に吹出すと共に、室内温度を検出する室内温度検出手段９と、室内温度を設定する温度設定手段１０と、運転スイッチ１１の信号に基づいて前記燃料ポンプ３と燃焼ファン４とを制御してバーナ２の運転の制御と燃焼量の調節を行う燃焼制御手段１２とを設け、前記燃焼制御手段１２は複数の燃焼量調節段階を備えて、各燃焼量調節段階に対応して前記燃料ポンプ３の流量と前記燃焼ファン４の回転数を可変する温風暖房機において、前記燃焼室８の排気経路中に燃焼室８から排出される燃焼ガス中のＣＯ２濃度を検出するＣＯ２センサ１３を設けると共に、前記燃焼制御手段１２は各燃焼量調節段階毎に設定される複数の基準ＣＯ２濃度データを備えた記憶手段１４と、前記燃焼量調節段階に対応する基準ＣＯ２濃度データを選択する選択手段１５と、前記ＣＯ２センサ１３で検出されたＣＯ２濃度データと前記選択手段１５で選択された基準ＣＯ２データとを比較する比較手段１６とを設け、前記燃焼制御手段１２は、前記ＣＯ２センサ１３のＣＯ２濃度が基準ＣＯ２濃度の範囲から外れているときに前記燃焼ファン４の回転数を１段階高くもしくは低く変更し、ＣＯ２センサ１３のＣＯ２濃度が基準ＣＯ２濃度の範囲内に入るまで燃焼ファン４の回転数を変更し、ＣＯ２センサ１３のＣＯ２濃度が基準ＣＯ２濃度の範囲内になったときの回転数を維持することを特徴とする。
【０００７】
また、前記燃焼制御手段１２は前記ＣＯ２センサ１３のＣＯ２濃度が基準ＣＯ２濃度の範囲内になったときの回転数を記憶する回転数記憶手段１７を設け、次回の運転時は各燃焼量焼調節段階に対応して記憶された回転数記憶手段１７の回転数で燃焼ファン４を運転する構成としたから、燃焼ファン４の回転数はＣＯ２センサ１３の検出データが基準ＣＯ２濃度を外れるほど大きく外れることはなく、燃焼状態が安定しやすくなる。
【発明の効果】
【０００８】
燃焼制御手段１２は各燃焼量調節段階毎に燃料ポンプ３の流量と燃焼ファン４の回転数が設定され、最適な燃焼バランスで燃焼するように構成されているが、石油燃料が燃焼するときはＣＯ２の発生を伴うものであり、このＣＯ２は最適な燃焼バランスで燃焼しているときは燃焼ガス中に一定濃度含まれているが、燃焼バランスが崩れると燃焼ガス中のＣＯ２濃度が低下もしくは上昇して一定の範囲から外れるものである。
この発明は燃焼ガス中のＣＯ２濃度の変化に着目したものであり、燃焼室８から排出される燃焼ガス中のＣＯ２濃度を検出するためのＣＯ２センサ１３を設け、各燃焼量調節段階毎に基準ＣＯ２濃度を定め、ＣＯ２センサ１３で検出される燃焼ガス中のＣＯ２濃度がこの基準ＣＯ２濃度から外れたときに燃焼ファン４の回転数を１段階高くもしくは低く変更し、変更後の回転数でも基準ＣＯ２濃度から外れているときは基準ＣＯ２濃度になるまで回転数の変更を続け、基準ＣＯ２濃度の範囲内となったときに燃焼ファン４の回転数の変更を停止し、この回転数を維持するものである。
このように、基準ＣＯ２濃度となるように燃焼ファン４の回転数を変更することによって最適な燃焼空気量が供給できるから、標高や延長配管や気温の変化など複数の条件が重なって空気量が変化した場合でも、安定した燃焼が維持できるものとなった。
【０００９】
また、燃焼ファン４の回転数を変更した後のＣＯ２センサ１３で検出されたＣＯ２濃度が基準ＣＯ２濃度の範囲内となったときの燃焼ファン４の回転数を記憶する回転数記憶手段１７を設け、次回の運転時は回転数記憶手段１７に記憶された回転数データに基づいて燃焼ファン４の回転数を決定する構成としたから、暖房機の設置場所や設置条件が変更されていなければ、運転開始から最適な燃焼バランスとなる燃焼空気量が供給でき、安定した状態の燃焼が可能となり、また、燃焼バランスが崩れた場合でも燃焼空気量が大きく外れることはないから、運転開始から短時間で安定した燃焼が可能となるものであり、不完全燃焼によるＣＯや煤の発生を確実に抑えることができるものとなった。
【図面の簡単な説明】
【００１０】
【図１】この発明の実施例を示す給排気式暖房機の要部の断面図である。
【図２】この発明の実施例の暖房機の構成を示すブロック図である。
【図３】この発明の実施例の暖房機の構成を示すフローチャートである。
【発明を実施するための形態】
【００１１】
図１に示す石油燃料を用いる暖房機の実施例によってこの発明を説明すると、１は暖房機の枠体、２は枠体１内に配置したバーナ、８はバーナ２の上部に配置されて燃焼炎と燃焼ガスとが送られる燃焼室、１８は燃焼室８の上部に配置した熱交換部、５は枠体１の背面から前面に向かって貫通して形成した送風経路、６は枠体１の背面の送風経路の入口側に設けた対流用送風機、７は枠体１の前面の送風経路５の出口側に形成した温風吹出口である。
【００１２】
図１に示す実施例の石油暖房機は燃焼空気を屋外から取入れ、燃焼排気ガスを屋外に排出する給排気式温風暖房機にかかるもので、１９は枠体１の背面に設けた給気口、２０は給気口１９付近に設けた排気口、２１は給気口１９に接続する吸気管、２２は排気口２０に接続する排気管、２３は壁を貫通して取り付けた給排気筒トップ、２４は燃焼室８から上方へ伸びる複数本の熱交換パイプ、２５は熱交換パイプ２４の上部に位置する排気ガス室であり、燃焼室８の上部と熱交換パイプ２４と排気ガス室２５が送風経路５内に位置しており、前記熱交換部１８を構成している。
【００１３】
２６は図示しない燃料タンクから燃料が送られる定油面器、３は定油面器の上に取付けられたバーナ２に燃料を供給する燃料ポンプ、４はバーナ２に燃焼空気を供給する燃焼ファン、２７はバーナ２の予熱ヒータを兼用する点火ヒータであり、点火ヒータ２７に通電してバーナ２を予熱し、燃料ポンプ３によってバーナ２に燃料が供給され、燃焼ファン４によって給排気筒トップ２３から給気管２１を経て吸い込まれた屋外空気がバーナ２へ供給され、高温のバーナ２によって気化した燃料が空気と混合して燃焼を開始し、バーナ２で発生した高温の燃焼ガスは燃焼室８から熱交換パイプ２４を経て排気ガス室２５に集められて排気管２２から屋外へ排出される。対流用送風機６によって送風経路５内に送られた風は高温となる燃焼室８と熱交換パイプ２４と排気ガス室２５と熱交換し、温風となって温風吹出口７から室内に吹き出すものである。
【００１４】
１２は暖房機の運転を制御するマイクロコンピュータを内装した燃焼制御手段、１１は暖房機の運転・停止を指示する枠体１の操作部に配置した運転スイッチであり、運転スイッチ１１の入／切信号は燃焼制御手段１２に送られ、該燃焼制御手段１２は運転スイッチ１１の信号に基づいて燃料ポンプ３、燃焼ファン４、点火ヒータ２７、対流用送風機６の入／切などを指示し、温風暖房機の運転を制御している。
【００１５】
９は枠体１の後方に設置された温度センサで構成する室内温度検出手段、１０は操作部に設けたボタンによって操作されて使用者が所望する温度を記憶する温度設定手段であり、温度設定手段１０で設定された温度データと、室内温度検出手段９で検出される現在の室内温度データを燃焼制御手段１２で比較し、設定温度の方が室内温度より高い場合は燃料ポンプ３の流量と燃焼ファン４の回転数を増加することによってバーナ２の燃焼量を増加させ、室内温度の方が設定温度よりも高い場合は燃料ポンプ３の流量と燃焼ファン４の回転数を減少することによってバーナ２の燃焼量を減少させ、室内温度を設定温度に近づけるように制御を行うものである。
【００１６】
燃焼制御手段１２は最小燃焼状態と最大燃焼状態とその間のいくつかの燃焼状態からなる複数個の燃料流量を定め、この燃料流量に対応する燃焼ファン４の回転数を設定することによって、複数段階の燃焼量調節段階が決められており、室内温度と設定温度との差に基づいて燃焼量調節段階が選択されると、その選択された燃焼量調節段階に向けて段階的にバーナ２の燃焼量を変化させており、各燃焼量調節段階毎に燃料ポンプ３の燃料流量と燃焼ファン４の回転数が設定されている。
【００１７】
通常、暖房機は標高がおおよそ４００ｍ以下の平地での使用を前提として燃焼ファン４の回転数が設計されているが、暖房機を使用する場所の標高が高くなるにつれて空気中の酸素濃度が低下し、標高が１０００ｍを超える高地ではバーナ２に供給される空気中の酸素量が不足し、燃料と空気中の酸素量とのバランスが崩れて燃焼が不安定となり、暖房能力の低下や煤やＣＯが発生するなどの問題が起こりやすくなる。従って、高地で使用する場合でも最適な燃焼バランスを維持できる空気量を確保するためには、酸素濃度が低下する分だけバーナ２に供給される空気量を増やす必要がある。
【００１８】
従来の対策として、バーナ２に供給される燃焼空気が通過する給気口にダンパーを設けたものがあり、ダンパーにはそれぞれ１０００ｍ、１５００ｍなど標高を表示する目盛りが記されていて、暖房機を設置する標高に合わせてダンパーの位置を変更するとバーナ２へ供給される空気量が調節できるようになっており、標高が高くなるほど給気口の開口面積を大きくしてバーナ２へ供給される空気量を増やすことで、酸素不足の解消を図っている。
しかし、ダンパー方式は標高に応じてダンパーの位置を変更するだけであり、全ての燃焼量調節段階に対応して空気量を調節するものではないから、ある燃焼量調節段階では燃焼状態が安定していても、別の燃焼量調節段階では燃焼状態が不安定になることがあった。
【００１９】
また、操作部などに標高設定スイッチを備えたものがあり、標高設定スイッチを操作すると標高が１０００ｍ、１５００ｍと切り換わり、暖房機を設置する標高に合わせて標高設定スイッチを操作して標高を設定すると、設定された標高に応じて各燃焼量調節段階毎の燃焼ファン４の回転数が変更され、バーナ２へ供給される空気量が調節できるようになっており、標高設定スイッチで標高を高く設定すると燃焼ファン４の回転数が高く変更されてバーナ２へ供給される空気量を増やすことで、酸素不足の解消を図っている。この対策は燃焼量調節段階毎に燃焼ファン４の回転数が設定されているので、ダンパー方式よりも燃焼状態が安定しやすい。
【００２０】
しかし、暖房機が設置される場所や条件は様々であり、特に給排気式暖房機の場合には配管の長さや曲げ数が多くなると、配管抵抗が増してバーナ２に供給される空気量が低下することがある。また、外気温が極端に低い時や配管内の煤の堆積などによる配管抵抗の変化によっても空気量が変化することがあり、同じ標高で使用しても暖房機の延長配管や気温の変動などの複数の条件が重なるとバーナ２へ供給される空気量が変化することがある。
【００２１】
従来の方式では、ダンパーや標高設定スイッチによってバーナ２へ供給される空気量を調節するだけであるため、調節後の空気量が必ずしも最適な燃焼空気量となっている保証はなく、標高以外の延長配管や気温など複数の条件が重なったときには、期待した空気量が確保できず燃焼状態が不安定になることがある。このような場合でもそのまま使用されることが多く、煤の堆積やＣＯの発生などの問題がある。
【００２２】
この発明は、標高や配管条件など様々な使用環境の変化に影響されることなく安定した燃焼状態が維持できる暖房機を提案するもので、石油燃料が燃焼するときはＣＯ２が発生するものであり、燃焼中において燃料流量と燃焼空気とがバランスして燃焼状態が安定しているときは、燃焼ガス中に一定濃度のＣＯ２が含まれているが、燃料流量と燃焼空気のバランスが崩れると燃焼中のＣＯ２濃度が変化するものであり、空気量が不足すると燃焼ガス中のＣＯ２濃度が上昇し、反対に空気量が過剰になると燃焼ガス中のＣＯ２濃度が低下することが確認されている。
【００２３】
この発明は、燃焼ガス中のＣＯ２濃度が燃焼状態によって変化する点に着目して、ＣＯ２濃度の変化に対応して燃焼空気量が調節できる暖房機を提案するものであり、１３は排気ガス室２５から排気口１９に至る排気経路に配置したＣＯ２センサであり、燃焼中の燃焼ガスに含まれるＣＯ２濃度を検出する。
１４は燃焼量調節段階毎に決められた複数の基準ＣＯ２濃度データを備えた記憶手段、１５は燃焼制御手段１２がある燃焼量調節段階を選択したときに記憶手段１４に備えた複数の基準ＣＯ２濃度データの中から対応する基準ＣＯ２データを選択する選択手段、１６はＣＯ２センサ１３で検出されたＣＯ２濃度データと選択手段１５が選択した基準ＣＯ２濃度とを比較する比較手段である。
燃焼状態が安定しているときは燃焼ガス中のＣＯ２濃度はある一定の範囲内に入っているから、この燃焼状態が安定しているときのＣＯ２濃度を燃焼量調節段階毎に算出して、例えば最大燃焼量では８％±０．２％、最小燃焼量では３％±０．２％と設定し、更にその最大燃焼量と最小燃焼量との間の複数の燃焼量調節段階毎に基準ＣＯ２濃度を設定して記憶手段１４に記憶している。
【００２４】
この発明の実施例を示す図２において、暖房機の運転を開始すると燃焼制御手段１２が温度設定手段１０の温度データと室内温度検出手段９の室内温度データに基づいて燃焼量調節段階を決定し、決定された燃焼量調節段階となるように燃料ポンプ３の流量と燃焼ファン４の回転数の変更を指示し、選択手段１５は記憶手段１４に設定された複数の基準ＣＯ２濃度データの中から燃焼量調節段階に対応する基準ＣＯ２濃度データを選択する。
燃料ポンプ３と燃焼ファン４が決定された燃焼量調節段階の流量と回転数に変更された直後は燃焼状態が安定しておらず、燃焼ガス中のＣＯ２濃度も安定しないから、ＣＯ２センサ１３は燃焼量調節段階が変更して燃焼が安定してから作動を開始する必要がある。
２８は燃料ポンプ３と燃焼ファン４が燃焼量調節段階毎の流量と回転数に変更されたときに作動して所定時間カウントするタイマ手段であり、タイマ手段２８がカウントアップした出力でＣＯ２センサ１３が作動して燃焼ガス中のＣＯ２濃度の検出を開始するから、ＣＯ２センサ１３は燃焼量調節段階が変更してバーナ２の燃焼が安定してから作動するので、正確なＣＯ２濃度が検出できる。
そして、比較手段１６がＣＯ２センサ１３で検出されるＣＯ２濃度と選択手段１５で選択された基準ＣＯ２濃度とを比較し、ＣＯ２センサ１３で検出されたＣＯ２濃度が基準ＣＯ２濃度の範囲内にあるときは、燃料流量と燃焼空気量とがバランスして燃焼状態が安定していることを意味しており、燃焼ファン４の回転数を変更する必要はないから、この回転数を維持したまま燃焼を継続する。
【００２５】
また、ＣＯ２センサ１３で検出されたＣＯ２濃度が基準ＣＯ２濃度から外れているときには、燃料流量と空気量とのバランスが崩れて燃焼状態が不安定になっていることを意味しており、燃焼ファン４の回転数を変更する必要があるものであり、ＣＯ２センサ１３の検出データが基準ＣＯ２濃度よりも高いときはバーナ２内が空気不足の状態であるから燃焼ファン４の回転数を１段階高く変更する。逆に、ＣＯ２センサ１３の検出データが基準ＣＯ２濃度よりも低いときはバーナ２内が空気過剰の状態であるから燃焼ファン４の回転数を１段階低く変更する。
【００２６】
そして、燃焼ファン４の回転数を変更したあと、再び比較手段１６がＣＯ２センサ１３で検出されたＣＯ２濃度と基準ＣＯ２濃度とを比較し、ＣＯ２センサ１３の検出データが基準ＣＯ２濃度の範囲内に入っていればそのときの回転数を維持し、基準ＣＯ２濃度の範囲を外れていれば燃焼ファン４の回転数を１段階高くもしくは低く変更し、ＣＯ２センサ１３の検出データが基準ＣＯ２濃度の範囲に入るまでこの動作を繰り返すものである。
【００２７】
また、設定温度と室内温度との差が一定の温度差になって燃焼制御装置１２が燃焼量調節段階の変更を指示したときは、ＣＯ２センサ１３と比較手段１６が動作を停止すると共に、選択手段１５が変更後の燃焼量調節段階に対応する基準ＣＯ２濃度データを記憶手段１４から選択し直し、燃料ポンプ３の燃料流量と燃焼ファン４の燃焼空気量が変更されて目標とする燃焼量調節段階に変更されると、前記タイマ手段２８がカウントを開始し、タイマ手段２８がカウントアップした出力でＣＯ２センサ１３が作動してＣＯ２の検出を開始し、比較手段１６によって新たに選択された基準ＣＯ２濃度データと比較するので、全ての燃焼量調節段階で安定した燃焼が維持できるものとなった。
【００２８】
この発明は従来のように、標高の変化や配管条件に合わせてバーナ２への供給空気量の調節を行うのではなく、燃焼状態が安定しているときの基準ＣＯ２濃度データを根拠として燃焼ファン４の回転数を変更するものであり、従来の構成では標高の変化や配管条件や気温の変化などの複数の条件が重なったときなど設定された条件から外れると期待した空気量とならず、燃焼バランスを崩していたが、この発明では、最適な燃焼バランスとなるように燃焼ファン４の回転数が自動的に変更する構成であるから、暖房機の使用中に気温などの変化があっても確実に安定した燃焼状態となる空気量を確保することができるものとなった。
【００２９】
また、燃焼空気量を確保するためのダンパーや標高設定スイッチだけでは対応できない場合でも燃焼制御手段１２が自動的に安定した燃焼状態となる燃焼ファン４の回転数を見つけ出すので、特別な操作をする必要はなく、取り扱い性が向上できるものとなった。
【００３０】
また、この発明の実施例において、燃焼ファン４の最高回転数と最低回転数は、通常の燃焼量調節段階の最大燃焼量と最小燃焼量のときの回転数に対して余裕を持たせて、最大燃焼量と最小燃焼量の回転数から更に１段階もしくは２段階ほど変更できるように設定している。このようにすることで、最大燃焼量で燃焼中にＣＯ２濃度が基準ＣＯ２濃度よりも高くなったときに燃焼ファン４の回転数を１段階高く変更することが可能となり、一方、最小燃焼量で燃焼中にＣＯ２濃度が基準ＣＯ２濃度よりも低くなったときに燃焼ファン４の回転数を１段階低く変更することが可能となり、燃焼量調節段階が最大もしくは最小燃焼量のときにも対応できる。また、燃焼ファン４の回転数が最高もしくは最低回転数に変更されても基準ＣＯ２濃度とならないときは、給排気管が煤の堆積などにより正常な燃焼ができなくなっている可能性があるため、エラー出力して暖房機の運転を停止して、点検や修理が必要になったことを知らせるようにする。
【００３１】
１７はＣＯ２センサ１３で検出されたＣＯ２濃度が基準ＣＯ２濃度の範囲内になったときの燃焼ファン４の回転数を記憶する回転数記憶手段であり、回転数記憶手段１７は複数段階の燃焼量調節段階毎に回転数を記憶するものであり、回転数記憶手段１７に記憶された回転数データは暖房機の運転停止後も保持されており、暖房機の次回運転時からは回転数記憶手段１７に記憶された回転数データを使用する。
【００３２】
上記の構成では、暖房機の運転を開始し燃焼制御手段１２が温度設定手段１０の温度データと室内温度検出手段９の室内温度データに基づいて燃焼量調節段階が決定すると、燃焼ファン４は回転数記憶手段１７に記憶された回転数で駆動する。
このため、前回の運転停止時から設置場所や設置条件に変更がなければ回転数記憶手段１７に記憶された燃焼ファン４の回転数はＣＯ２センサ１３の検出データが基準ＣＯ２濃度の範囲を大きく外れるほどの誤差はないから、回転数記憶手段１７に記憶された回転数データを用いることで、燃焼ガス中のＣＯ２濃度が基準ＣＯ２濃度の範囲を大きく外れることはなく、運転開始から短時間で安定した燃焼状態を維持しやすくなり、燃焼バランスを大きく崩して不完全燃焼を起こすことなく、ＣＯや煤の発生を抑えることができる。
【符号の説明】
【００３３】
１    枠体
２    バーナ
３    燃料ポンプ
４    燃焼ファン
５    送風経路
６    対流用送風機
７    温風吹出口
８    燃焼室
９    室内温度検出手段
１０  温度設定手段
１１  運転スイッチ
１２  燃焼制御手段
１３  ＣＯ２センサ
１４  記憶手段
１５  選択手段
１６  比較手段
１７  回転数記憶手段
【図１】
2011047605.tif 000003
【図２】
2011047605.tif 000004
【図３】
2011047605.tif 000005